【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
表示部への表示対象となる画像データを表示制御装置に送信する情報処理装置であって、
前記表示対象となる画像データをキャプチャするキャプチャ手段と、
前記キャプチャした画像データを前記表示制御装置に送信するよう制御する送信制御手段と、
前記情報処理装置に対する操作を検出する検出手段と、を有し、
前記検出手段により、前記表示対象となる画像データの表示態様を変更するための所定の操作を検出した場合、前記送信制御手段は前記キャプチャした画像データを送信する前に、前記所定の操作による表示態様の変化量の情報を前記表示制御装置に送信するよう制御することを特徴とする情報処理装置。
【請求項２】
前記所定の操作は、前記表示対象となる画像データをスクロールするための操作を含み、
前記送信制御手段は、前記変化量の情報として前記スクロールするための操作による移動量を送信するよう制御することを特徴とする請求項１に記載の情報処理装置。
【請求項３】
前記所定の操作は、前記表示対象となる画像データを拡大または縮小するための操作を含み、
前記送信制御手段は、前記変化量の情報として前記拡大または縮小のための操作による拡大率または縮小率を送信するよう制御することを特徴とする請求項１または２に記載の情報処理装置。
【請求項４】
前記変化量が所定の値よりも大きくなった場合、前記送信制御手段は前記キャプチャ手段により新たにキャプチャされた画像データを送信するよう制御することを特徴とする請求項１乃至３のいずれか１項に記載の情報処理装置。
【請求項５】
前記送信制御手段は、前記送信制御手段は前記キャプチャ手段により新たにキャプチャされた画像データを送信する場合、既に表示制御装置に送信された画像データと表示中の画像データとの差分を送信するよう制御することを特徴とする請求項４に記載の情報処理装置。
【請求項６】
前記所定の操作が所定時間行われない場合、前記キャプチャ手段は表示対象となる画像データのキャプチャを行い、前記送信制御手段は、前記キャプチャした画像データを送信するよう制御することを特徴とする請求項１乃至５のいずれか１項に記載の情報処理装置。
【請求項７】
前記検出手段は前記表示部へのタッチ操作を検出し、
前記所定の操作は、指を前記表示部にタッチしたまま移動させる操作を含むことを特徴とする請求項１乃至６のいずれか１項に記載の情報処理装置。
【請求項８】
前記検出手段は前記表示部へのタッチ操作を検出し、
前記所定の操作は、複数の指を前記表示部にタッチしたまま移動させる操作を含むことを特徴とする請求項１乃至６のいずれか１項に記載の情報処理装置。
【請求項９】
前記情報処理装置は、携帯電話であることを特徴とする請求項１乃至８のいずれか１項に記載の情報処理装置。
【請求項１０】
前記情報処理装置は、タブレット端末であることを特徴とする請求項１乃至８のいずれか１項に記載の情報処理装置。
【請求項１１】
前記表示制御装置はプロジェクタであることを特徴とする請求項１乃至１０のいずれか１項に記載の情報処理装置。
【請求項１２】
前記表示対象となる画像データは、前記情報処理装置の表示部に表示中の画像データであることを特徴とする請求項１乃至１１のいずれか１項に記載の情報処理装置。
【請求項１３】
前記表示対象となる画像データは、前記情報処理装置が有する第１の記憶媒体に保存された画像データであることを特徴とする請求項１乃至１１のいずれか１項に記載の情報処理装置。
【請求項１４】
前記第１の記憶媒体はＶＲＡＭであることを特徴とする請求項１３に記載の情報処理装置。
【請求項１５】
前記キャプチャ手段による画像データのキャプチャは、前記第１の記憶媒体に保存された画像データを、前記情報処理装置が有する第２の記憶媒体に保存することであることを特徴とする請求項１３または１４に記載の情報処理装置。
【請求項１６】
表示部への表示対象となる画像データを表示制御装置に送信する情報処理装置の制御方法であって、
前記表示対象となる画像データをキャプチャするステップと、
前記キャプチャした画像データを前記表示制御装置に送信するよう制御するステップと、
前記情報処理装置に対する操作を検出するステップと、を有し、
前記表示対象となる画像データの表示態様を変更するための所定の操作を検出した場合、前記キャプチャした画像データを送信する前に、前記所定の操作による表示態様の変化量の情報を前記表示制御装置に送信するよう制御することを特徴とする情報処理装置の制御方法。
【請求項１７】
コンピュータを、請求項１乃至１５のいずれか１項に記載の情報処理装置の各手段として機能させるためのプログラム。
【請求項１８】
情報処理装置から転送される画像を表示する表示制御装置であって、
前記情報処理装置のコンピュータを、請求項１乃至１５のいずれか１項に記載の情報処理装置の各手段として機能させるためのプログラムを格納する表示制御装置。
【手続補正２】
【補正対象書類名】明細書
【補正対象項目名】発明の名称
【補正方法】変更
【補正の内容】
【発明の名称】情報処理装置およびその制御方法、表示制御装置、並びにプログラム
【手続補正３】
【補正対象書類名】明細書
【補正対象項目名】０００７
【補正方法】変更
【補正の内容】
【０００７】
上記課題を解決し、目的を達成するために、本発明の情報処理装置は、表示部への表示対象となる画像データを表示制御装置に送信する情報処理装置であって、前記表示対象となる画像データをキャプチャするキャプチャ手段と、前記キャプチャした画像データを前記表示制御装置に送信するよう制御する送信制御手段と、前記情報処理装置に対する操作を検出する検出手段と、を有し、前記検出手段により、前記表示対象となる画像データの表示態様を変更するための所定の操作を検出した場合、前記送信制御手段は前記キャプチャした画像データを送信する前に、前記所定の操作による表示態様の変化量の情報を前記表示制御装置に送信するよう制御する。
【手続補正４】
【補正対象書類名】明細書
【補正対象項目名】００４４
【補正方法】変更
【補正の内容】
【００４４】
ステップＳ５０８では、ＣＰＵ１０１は、タッチ位置が１点であるか判定し、タッチ位置が１点の場合はステップＳ５０９に進み、１点でない場合はステップＳ５１１Ａへ進む。
【手続補正５】
【補正対象書類名】明細書
【補正対象項目名】００４５
【補正方法】変更
【補正の内容】
【００４５】
ステップＳ５１１Ａでは、ＣＰＵ１０１は、後述する拡大・縮小処理を行う。
【手続補正６】
【補正対象書類名】明細書
【補正対象項目名】００４８
【補正方法】変更
【補正の内容】
【００４８】
ステップＳ５１１Ｂでは、ＣＰＵ１０１は、画面を更新し、ステップＳ５０２へ戻る。なお、ステップＳ５１１Ｂにおける画面の更新処理とは、フリック操作に対応する画面に更新する処理である。フリック操作に基づく画面の更新処理では、ステップＳ５０７とＳ５１０で取得した位置座標から、フリック操作が行われた方向を判定し、例えば画像送りやページ送りなどの処理を行い、画面の更新を行う。
【手続補正７】
【補正対象書類名】明細書
【補正対象項目名】００８０
【補正方法】変更
【補正の内容】
【００８０】
ここで、ステップＳ６１２からＳ６１４までの処理を、図３（ｃ）を用いて説明する。３０３はＲＡＭ２０２に記憶された画像データを表し、破線で囲まれた矩形３０４がステップＳ６１３で切り出しを行う画像領域を表している。一方、３０５はＶＲＡＭ２０４に描画された画像データを示している。破線で囲まれた矩形３０６がステップＳ６１４でＶＲＡＭ２０４に描画された画像データである。また、斜線領域３０７は、ステップＳ６１１で塗りつぶされた記憶領域を示している。
【手続補正８】
【補正対象書類名】明細書
【補正対象項目名】００９２
【補正方法】変更
【補正の内容】
【００９２】
まず、図５（ｃ）を参照して、図５（ａ）のステップＳ５１１Ａにおけるスマートフォン１００での拡大・縮小処理について説明する。
【手続補正９】
【補正対象書類名】明細書
【補正対象項目名】００９８
【補正方法】変更
【補正の内容】
【００９８】
このようにステップＳ５２５で位置座標が所定時間以上変化していない場合は、拡大・縮小処理を終了することで、プロジェクタ２００の投影画像をスマートフォン１００でキャプチャされた画像に更新することができる（ステップＳ５０２からＳ５０４）。本実施形態では、プロジェクタ２００スマートフォン１００から受信した画像データに対して拡大や縮小を行っているが、プロジェクタ２００側で拡大処理を行うと画質が劣化してしまう。また、プロジェクタ２００側で縮小処理を行うと図４（ｅ）のように周辺に画像を表示できない領域が形成されてしまう。スマートフォン１００を操作しているユーザが拡大や縮小を途中で終了して、指を離さない状態では、このような劣化した画像や画面周辺に未表示領域がある画像がプロジェクタ２００で投影され続けてしまう。このような事態を回避するために、ステップＳ５２５でのタッチ位置の変化判定を行う。このようにタッチ位置の変化判定を行うことによって、プロジェクタ２００での投影画像をより適切な状態で表示することができる。
【手続補正１０】
【補正対象書類名】図面
【補正対象項目名】図５
【補正方法】変更
【補正の内容】
【図５】
2016009023.tif 000001